(57)【要約】【課題】滑りにくい靴底を提供することを目的とする。【解決手段】円形、三角形、および多角形のいずれか１つの形状の突起部が表面に複数設けられた靴底であって、上記突起部は、所定の幅を有し靴底の表面より突出した外周部、上記外周部に囲まれた中央部、外周部の周囲に設けられた溝部、および上記外周部を横断するように複数設けられた割り溝から構成され、上記外周部は内側が外側よりも低くなっており、内側から外側に向かって傾斜し、上記割り溝によって外周部が複数のブロックに分割されていることにより、突起部に上から圧力が加わると、外周部が外側に開き、接地面に対してブレーキ作用が生じる。【選択図】図１
0003131125.tif 000002
【実用新案登録請求の範囲】
【請求項１】
円形、三角形、および多角形のいずれか１つの形状の突起部が表面に複数設けられた靴底であって、上記突起部は、所定の幅を有し靴底の表面より突出した外周部、上記外周部に囲まれた中央部、外周部の周囲に設けられた溝部、および上記外周部を横断するように複数設けられた割り溝から構成され、上記外周部は内側が外側よりも低くなっており、内側から外側に向かって傾斜し、上記割り溝によって外周部が複数のブロックに分割されていることにより、突起部に上から圧力が加わると、外周部が外側に開き、接地面に対してブレーキ作用が生じることを特徴とする靴底。
【請求項２】
上記溝部の断面形状が略レの字形状であり、上記割り溝の断面形状が略Ｖ字形状であることを特徴とする請求項１記載の靴底。
【考案の詳細な説明】
【技術分野】
【０００１】
本考案は、靴による滑りを解決する為の靴底に関する。
【背景技術】
【０００２】
靴底には様々な模様が施されており、その意匠によってすべり止めを解消することを目的として、溝を設けたり、突起を設けたりしたものがあるが、単にデザイン的なものも多く見られる。
【考案の開示】
【考案が解決しようとする課題】
【０００３】
婦人靴等のヒールの高い靴は、特に靴底が滑り易く、足を滑らせて怪我をしたりすることも多い。本考案はそのような滑り易いという靴底の欠点を解消することを目的としている。
【課題を解決するための手段】
【０００４】
本考案の靴底は、円形、三角形、および多角形のいずれか１つの形状の突起部が表面に複数設けられた靴底であって、上記突起部は、所定の幅を有し靴底の表面より突出した外周部、上記外周部に囲まれた中央部、外周部の周囲に設けられた溝部、および上記外周部を横断するように複数設けられた割り溝から構成され、上記外周部は内側が外側よりも低くなっており、内側から外側に向かって傾斜し、上記割り溝によって外周部が複数のブロックに分割されていることにより、突起部に上から圧力が加わると、外周部が外側に開き、接地面に対してブレーキ作用が生じることを特徴とする。
【０００５】
また、上記溝部の断面形状が略レの字形状であり、上記割り溝の断面形状が略Ｖ字形状であることが好ましい。
【考案の効果】
【０００６】
本考案の靴底は、円形、三角形、および多角形のいずれか１つの形状の突起部が表面に複数設けられた靴底であって、上記突起部は、所定の幅を有し靴底の表面より突出した外周部、上記外周部に囲まれた中央部、外周部の周囲に設けられた溝部、および上記外周部を横断するように複数設けられた割り溝から構成され、上記外周部は内側が外側よりも低くなっており、内側から外側に向かって傾斜し、上記割り溝によって外周部が複数のブロックに分割されていることにより、突起部に上から圧力が加わると、外周部が外側に開き、接地面に対してブレーキ作用が生じることにより、靴底が滑るのを防止することが可能となる。
【０００７】
また、上記溝部の断面形状が略レの字形状であり、上記割り溝の断面形状が略Ｖ字形状であることにより、上記突起部が変形しやすくなり、より吸盤のように作用し、より滑りにくくなる。
【考案を実施するための最良の形態】
【０００８】
以下に、図を用いて本考案の靴底１を詳しく説明する。
【０００９】
図１に示すのが、本考案の靴底１の全体平面図で、図２が靴底１に設けられた突起部２の平面図である。
【００１０】
図１に示すように、靴底１には複数の突起部２が設けられている。この突起部２の配置は特に図に示すような配置に限定するものではなく、靴底１の全面に配置することも可能である。
【００１１】
図２に示すように本実施形態の靴底１の突起部２は円形としている。上記突起部２は、所定の幅を有し靴底の表面より突出した外周部３、上記外周部３に囲まれた中央部４、上記外周部３の周囲に設けられた溝部５、および上記外周部３を横断するように設けられた３つの割り溝６から構成される。
【００１２】
上記外周部３は内側が外側よりも低くなっており、内側から外側に向かって傾斜した形状となっている。そして、上記割り溝６によって上記外周部３は複数のブロックに分割されている。本実施形態では、３つの割り溝６により、上記外周部３は３つのブロックに分割されている。
【００１３】
上記溝部５の形状は、略レの字状をしており、外周部３の周囲を取り囲むように配置されている。溝部５を含む突起部２の断面寸法の一例として図８に示すような寸法で構成されている（図８の単位は全てｍｍである）。
【００１４】
また、上記割り溝６は、略Ｖ字形状をしており、外周部３を横断し中央部４へ繋がるように配置されている。本実施形態では割り溝６の断面寸法の一例として図９に示すような寸法で構成されている（図９の単位は全てｍｍである）。
【００１５】
本実施形態の靴底１は、上述の突起部２が図に示すように５個配置している。この配置は特に限定するものではないが、特に力のかかる靴底１の前側中央部に配置することが好ましい。
【００１６】
本考案の靴底１の素材としては、ゴム又は樹脂等の弾力性を有する素材を用いることが好ましい。
【００１７】
上述の構成により、本考案の靴底１は、上からの圧力が作用すると、突起部２の外周部３が外側に開き、素材の弾力性により、吸盤のように作用して路面に吸着し、滑りにくくする効果が生じる。
【００１８】
この状態を示したのが図６および図７である。このように、分割された突起部２が圧力により外側へと変形し、吸盤のように作用することが本考案の大きな特徴である。
【００１９】
このとき、溝部５がレの字状になっていることにより、外周部３が外側へと変形しやすくなっており、また、溝部６により外周部３が分割されていることも、変形しやすい要因となっている。
【００２０】
上述のように、本考案の靴底１は、突起部２の形状により、従来には無かった吸盤のような作用が働き、路面へ吸い付くことから、滑りにくくすることが可能となっている。
【００２１】
また、渡り溝６が設けられることにより、中央部４が完全に密閉されることは無いので、吸着力が強くて、歩きにくくなることも無い。
【００２２】
このように、適度な吸着力により、従来よりも滑りにくくて、歩きやすい靴底が実現可能となった。
【図面の簡単な説明】
【００２３】
【図１】本考案の靴底の平面図である。
【図２】靴底の突起部を拡大した平面図である。
【図３】図２におけるＡ−Ａ断面図である。
【図４】溝部の拡大断面図である。
【図５】渡り溝の拡大断面図である。
【図６】靴底に上から圧力がかかり、変形していく状態の突起部の断面図である。
【図７】図６の突起部の拡大断面図である。
【図８】突起部の断面寸法図である。
【図９】渡り溝の断面寸法図である。
【符号の説明】
【００２４】
１  靴底
２  突起部
３  外周部
４  中央部
５  溝部
６  割り溝
【図１】
0003131125.tif 000003
【図２】
0003131125.tif 000004
【図３】
0003131125.tif 000005
【図４】
0003131125.tif 000006
【図５】
0003131125.tif 000007
【図６】
0003131125.tif 000008
【図７】
0003131125.tif 000009
【図８】
0003131125.tif 000010
【図９】
0003131125.tif 000011